(57)【要約】【課題】電話機とファクシミリ装置とで別々の規格が存在する環境であっても、双方の企画に適合し、簡単な動作で、耳障りな周波数スイープ音等の送出を行うことなく、低コストで、通話時の音声品質の劣化やファクシミリの通信速度の低下を防止すること。【解決手段】ファクシミリ装置１００では、ＳＯＣ１のＣＰＵ２００が、音声ＣＯＤＥＣ３００を使用しないＦＡＸモードの場合に、通信回線の終端として抵抗終端を選択し、音声ＣＯＤＥＣ３００を使用するＶＯＩＣＥモードの場合に、通信回線の終端として複素終端に選択するように制御する。【選択図】図１
2020068428.tif 000002
【特許請求の範囲】
【請求項１】
音声の符号化及び復号を行う符号復号手段を有し、通信回線を介して通話可能なファクシミリ装置であって、
前記通信回線の終端として、周波数によりインピーダンス及び位相が変化しない第１終端、又は、周波数によりインピーダンス及び／又は位相が変化する第２終端を選択可能な選択手段と、
前記選択手段を制御する制御手段を有し、
前記制御手段は、前記符号復号手段を使用しない第１モードの場合に前記第１終端を選択し、前記符号復号手段を使用する第２モードの場合に前記第２終端を選択するように制御することを特徴とするファクシミリ装置。
【請求項２】
音声の入力及び出力が可能なハンドセットと、
前記ハンドセットのオンフック状態及びオフフック状態を検知する検知手段と、を有し、
前記制御手段は、前記ハンドセットのオフフック状態が検知されている場合に前記第２終端を選択し、前記ハンドセットのオンフック状態が検知されている場合に前記第１終端を選択するように制御することを特徴とする請求項１に記載のファクシミリ装置。
【請求項３】
前記制御手段は、ファクシミリ特有の信号の受信を検知した場合に前記第１終端を選択するように制御することを特徴とする請求項１又は２に記載のファクシミリ装置。
【請求項４】
前記ファクシミリ特有の信号には、ＣＮＧ信号あるいはＤＩＳ信号が含まれることを特徴とする請求項３に記載のファクシミリ装置。
【請求項５】
少なくともファクシミリの送信指示又は受信指示が可能な指示手段を有し、
前記制御手段は、前記指示手段からファクシミリの送信指示又は受信指示を受けた場合に前記第１終端を選択するように制御することを特徴とする請求項１〜４のいずれか１項に記載のファクシミリ装置。
【請求項６】
前記制御手段は、ファクシミリの送信を開始した場合、又は、ファクシミリの受信を開始した場合に、前記第１終端を選択するように制御することを特徴とする請求項１〜５のいずれか１項に記載のファクシミリ装置。
【請求項７】
前記ファクシミリの送信を開始した場合には、オートリダイヤルによりファクシミリ送信を開始した場合が含まれ、
前記ファクシミリの受信を開始した場合には、自動受信によりファクシミリ受信を開始した場合が含まれることを特徴とする請求項６に記載のファクシミリ装置。
【請求項８】
音声の符号化及び復号を行う符号復号手段を有して通信回線を介して通話可能であり、前記通信回線の終端として、周波数によりインピーダンス及び位相が変化しない第１終端、又は、周波数によりインピーダンス及び／又は位相が変化する第２終端を選択可能な選択手段を有するファクシミリ装置の制御方法であって、
前記符号復号手段を使用しない第１モードの場合に前記第１終端を選択するステップと、
前記符号復号手段を使用する第２モードの場合に前記第２終端を選択するステップと、
を有することを特徴とするファクシミリ装置の制御方法。
【請求項９】
コンピュータを、請求項１〜７のいずれか１項に記載の制御手段として機能させるためのプログラム。
【発明の詳細な説明】
【技術分野】
【０００１】
本発明は、電話機能を有するファクシミリ装置のインピーダンス設定に関する。
【背景技術】
【０００２】
従来、電話回線に接続されるファクシミリ装置と電話機を含有する端末の特性インピーダンスあるいはリターンロスの測定条件は、各国で抵抗終端あるいは複素終端どちらか一種類で規定されていた。ところが、中国では、電話機の規格（ＧＢＴ１５２７９−２００２）とファクシミリ装置の規格（ＹＤ／Ｔ７０３−２０１３）のそれぞれ別の規格が存在する。
【０００３】
電話機機能を有するファクシミリ装置は、音声ＣＯＤＥＣを内蔵し、半導体ＮＣＵ（以下「ＳＤＡＡ」）とモデムにより、ファクシミリ（以下「ＦＡＸ」ともいう）と電話機の両方の機能を実現している。そのため、このような装置では、電話機の規格（ＧＢＴ１５２７９−２００２）とＦＡＸの規格（ＹＤ／Ｔ７０３−２０１３）両方を満足する必要がある。それぞれの規格は、異なる交流インピーダンス（以下「特性インピーダンス」）でリターンロスを測定する。
ＧＢＴ１５２７９−２００２では、このリターンロスは、２０×ｌｏｇ１０｜（ＺＴ＋Ｚｔ）／（ＺＴ−Ｚｔ）｜と定義されている。ここで、ＺＴは、電話機のインピーダンス、Ｚｔは、テスト回路側のインピーダンスである。
【０００４】
リターンロスは、送信した信号に対して、インピーダンス不整合により反射して送信側に戻ってくるノイズの減衰比を表す数値である。リターンロスが大きければ大きいほど、不要な反射波が減衰されることを示している。
【０００５】
インピーダンス整合が取れている場合、リターンロスは大きく、送信信号は、反射してぶつかることなく相手機の受信回路へと伝達される。
一方、インピーダンス整合が取れていない場合、リターンロスは小さく、反射波が発生し送信信号とぶつかる。また、この場合、自機の受信回路へと回り込みが発生する。このような状態では、電話機の場合、自分で話した声が受話器で聞こえるというエコーが発生する。すなわち、音質劣化が発生する。また、ファクシミリの場合、送信信号と反射波がぶつかりＳ／Ｎが低下する。その結果、トレーニングで低い通信速度を選択し、通信速度の低下を引き起こす。
【０００６】
電話機のリターンロスは、周波数によりインピーダンス／位相が変化する複素終端で測定する。一方、ＦＡＸのリターンロスは、周波数によりインピーダンス／位相が変化しない抵抗終端で測定する。これに合わせて、中国の電話機は、基本的に複素終端となっている。また、中国のファクシミリ装置は、基本的に抵抗終端となっている。
【０００７】
従来の電話機を内蔵しないファクシミリ装置は、抵抗終端のファクシミリ装置と通信を行っていた。そのため、電話機を内蔵しないファクシミリ装置は、抵抗終端であれば、リターンロスは大きく、通信速度への影響は少なかった。また、電話機を内蔵しないファクシミリ装置では、複素終端の電話機と通話することはなく、音質劣化という問題に直面することはなかった。
【０００８】
一方、電話機を内蔵したファクシミリ装置では、従来のまま特性インピーダンスを抵抗終端にした場合、複素終端の電話機との通話で、音声劣化が発生してしまう。
しかし、電話機を内蔵したファクシミリ装置では、特性インピーダンスを複素終端に変更した場合、抵抗終端のファクシミリ装置との通信で、通信速度の低下が発生してしまう。
なお、電話機を内蔵したファクシミリ装置において、特性インピーダンスを抵抗終端にした場合は、電話機のリターンロスの規格を満足することは難しい。一方、特性インピーダンスを複素終端にした場合は、ファクシミリ装置のリターンロスの規格を満足することが難しい。
【先行技術文献】
【特許文献】
【０００９】
【特許文献１】特開２００２−１９０８９３号公報
【特許文献２】特開平６−５４０８４号公報
【発明の概要】
【発明が解決しようとする課題】
【００１０】
特許文献１のファクシミリ装置では、複素終端で、オフフック後に発振器の周波数をスィープさせた信号を相手に送出し、その時の回線電圧／電流により回線側インピーダンスを計測し、該計測結果に合わせて回路定数を整合させていた。しかるに、特許文献１では、相手側が電話機であることを考慮していなかった。このため、特許文献１の方法では、相手が電話機の場合、オフフック後、耳障りな周波数がスイープする音が相手受話器から聞こえてしまう。また、特許文献１では、複素終端のみ考慮していた。このため、相手側が抵抗終端であるファクシミリの場合には、送信信号と反射した信号とがぶつかり、モデムの通信速度低下を招いてしまう。また、ＦＡＸ／電話機の規格を考慮していないため、規格を逸脱してインピーダンス調整を行う可能性があった。
【００１１】
特許文献２のファクシミリ装置では、電話機として使用する場合とファクシミリとして使用する場合で物理的に別の終端回路を有する。これらの終端回路は、両者ともに抵抗とコンデンサを有する複素終端である。また、それぞれの終端回路は、等価になるように設計されている。特許文献２では、ＦＡＸ／電話機でインピーダンスを切り替えてはいるが、両者のインピーダンスは等価の複素終端になるように設計されており、特許文献１と同様の課題を有する。
【００１２】
本発明は、上記の課題を解決するためになされたものである。本発明は、電話機とファクシミリ装置とで別々の規格が存在する環境で双方の企画に適合させる。そして、簡単な動作で耳障りな周波数スイープ音の送出を行うことなく、低コストで、通話時の音声品質の劣化やファクシミリの通信速度の低下を防止する仕組みを提供することを目的とする。
【課題を解決するための手段】
【００１３】
本発明は、音声の符号化及び復号を行う符号復号手段を有し、通信回線を介して通話可能なファクシミリ装置であって、前記通信回線の終端として、周波数によりインピーダンス及び位相が変化しない第１終端、又は、周波数によりインピーダンス及び／又は位相が変化する第２終端を選択可能な選択手段と、前記選択手段を制御する制御手段を有し、前記制御手段は、前記符号復号手段を使用しない第１モードの場合に前記第１終端を選択し、前記符号復号手段を使用する第２モードの場合に前記第２終端を選択するように制御することを特徴とする。
【発明の効果】
【００１４】
本発明によれば、電話機とファクシミリ装置とで別々の規格が存在する環境で双方の企画に適合し、簡単な動作で耳障りな周波数スイープ音の送出を行うことなく、低コストで、通話時の音声品質の劣化やファクシミリの通信速度の低下を防止できる。
【図面の簡単な説明】
【００１５】
【図１】本実施形態の通信装置の構成の一例を示すファクシミリ装置のブロック図。
【図２】複素終端の回路構成を例示する図。
【図３】複素終端、６００Ω終端のインピーダンス特性を示す図。
【図４】６００Ω終端と複素終端で通信を行った場合のリターンロスの一例を示す図。
【図５】インピーダンス整合時の反射の様子を説明する図。
【図６】インピーダンス不整合時の反射の様子を説明する図。
【図７】初期設定処理のフローチャート。
【図８】ＦＡＸモードからＶＯＩＣＥモードへの切り替え判定処理のフローチャート。
【図９】ＶＯＩＣＥモードからＦＡＸモードへの切り替え判定処理のフローチャート。
【図１０】複素／抵抗設定部を説明する図。
【発明を実施するための形態】
【００１６】
以下、本発明を実施するための形態について図面を用いて説明する。
図１は、本発明の通信装置の一実施形態を示すファクシミリ装置の構成の一例を示すブロック図である。
ファクシミリ装置１００において、ＳＯＣ１０１はシステム・オン・チップ（System on Chip）であり、ファクシミリ装置１００のシステム全体を制御する。ＳＯＣ１０１上には、ＣＰＵ２００等が実装されている。
【００１７】
ＳＯＣ１０１に接続されたメモリ１４０は主記憶装置である。メモリ１４０は、ＳＯＣ１０１のＣＰＵ２００のシステムワークメモリ、本実施形態の処理を実行するための制御プログラムを格納するメモリとして機能する。また、メモリ１４０は、ファクシミリ送信又はファクシミリ受信等の際に、画像データや各種情報を一時的に記憶するためのメモリとしても機能する。また、メモリ１４０は、ユーザが設定した情報を格納する。さらに、メモリ１４０は、ＳＤＡＡプログラム１４１を格納する。
ＳＤＡＡプログラム１４１は、モデム１０２に転送され、ＲＡＭ２０４に展開された後に、ＤＳＰ（Digital Signal Processor）２０５で実行されるプログラムである。
【００１８】
ＳＯＣ１０１には、操作パネル１１８、読取部１２１、記録部１２２、インターフェース（ＩＦ）部１２３、スピーカ回路２５０等が接続されている。
操作パネル１１８は、表示器１１９及びキー（ＫＥＹ）類１２０を備え、これらはユーザインターフェースとして機能する。表示器１１９は、装置の状態やメニューに関する表示を行う。また、キー類１２０は、ユーザからの各種の指示の入力を受け付けるボタンやテンキー等のキーボードである。このキーボードを用いて、ユーザは設定情報等を入力することが可能である。
【００１９】
読取部１２１は、原稿から画像を読み取って、画像データを生成する。生成された画像データは、通信回線１３０を介して相手側装置（相手ファクシミリ装置２２０等）に対してファクシミリ送信されてもよいし、記録部１２２で印刷されてもよい。
ＩＦ部１２３は、各種の情報機器が外部から接続される場合のインターフェースとして機能する。
スピーカ回路２５０は、ＰＳＴＮ（公衆交換電話網：Public Switched Telephone Network）２１０からの呼び出し信号すなわちＣＩ信号を受け、疑似ベル音すなわち疑似的な電話機の鳴動音を出力すること等が可能である。
【００２０】
モデム１０２は、ＳＯＣ１０１に接続されており、ＳＯＣ１０１による制御に基づいて動作する変復調器である。モデム１０２は、ファクシミリ送信の対象となる、読取部１２１で読み取られた画像データを用いた変調処理を行う。また、モデム１０２は、通信回線１３０を介して受信した信号の復調処理を行う。モデム１０２は、絶縁素子１（１０３）を介してＳＤＡＡ（すなわちシリコンＤＡＡあるいは半導体ＮＣＵ）１０４と接続されている。
【００２１】
モデム１０２において、ＲＯＭ２０３は、ＲＡＭ２０４に展開されＤＳＰ２０５に実行されるプログラムを格納している。ＲＡＭ２０４は、メモリ１４０から転送されるＳＤＡＡプログラム１４１とＲＯＭ２０３の内容を展開し、ＤＳＰ２０５に実行させるためのものである。ＤＳＰ２０５は、ＲＡＭ２０４の内容に基づいてモデム１０２の動作を制御する。レジスタ２０６は、ＳＤＡＡ１０４の状態を格納、あるいはＳＯＣ１０１からの指示を格納するためのものである。
【００２２】
ＳＤＡＡ１０４は、網制御装置の一例であって、半導体ＮＣＵ（ネットワーク制御ユニット）等である。ＳＤＡＡ１０４は、通信回線１３０と接続されており、ファクシミリ装置１００と外部の公衆回線（通信回線）１３０とのインターフェースとして機能する。また、ＳＤＡＡ１０４は、通信回線１３０を介して相手側装置との間で通信を行う際に、回線の接続（捕捉）状態を制御する。
【００２３】
通信回線１３０には、ファクシミリ装置１００に外付けされた電話機１２８も接続される。電話機１２８はＨリレー１１０を介して通信回線１３０に接続され、このときＳＤＡＡ１０４は、電話機１２８と並列に通信回線１３０に接続されている。
ＳＤＡＡ１０４は、ファクシミリ送受信を行う場合に、回線を捕捉してその通信を制御するだけでなく、電話機１２８が通信回線１３０を介して相手側装置との間で音声通信を行う場合にも、回線の捕捉状態を制御する。ＳＤＡＡ１０４は、これらの制御をＳＯＣ１０１の制御に基づいて実行する。
【００２４】
ＳＤＡＡ１０４は、回線捕捉部１０５を使用して回線の直流捕捉状態を制御する。この直流捕捉される場合の直流インピーダンスは可変である。このインピーダンスは、予め設定された、直流的な電圧に対する電流特性（以下「ＤＣ−ＶＩ特性」）に基づいて制御されることにより得られる。
【００２５】
ＳＤＡＡ１０４において、電圧検知部１５０は、回線上の電圧をモニタする手段である。電流検知部１５１は、回線上の電流をモニタする手段である。
ＡＣフィルタ部２０１は、電圧検知部１５０あるいは電流検知部１５１の前段に接続され、電圧検知部１５０あるいは電流検知部１５１でＤＣ電圧あるいは電流を検知する場合に、ＡＣ成分による誤検知を防ぐためのものである。
直流抵抗調整部２０２は、予め決められたＤＣ−ＶＩ特性をターゲットとして、オフフック時の直流抵抗を制御する手段である。
【００２６】
複素／抵抗設定部２０７は、インピーダンス整合／送信回路１５４を使用して、特性インピーダンスを抵抗あるいは複素終端に調整することが可能な手段である。以下、図１０を用いて説明する。
図１０は、複素／抵抗設定部２０７を説明する図である。
複素／抵抗設定部２０７において、６００Ωの抵抗終端２７１は、周波数によりインピーダンス及び位相が変化しない終端である。複素終端２７２は、周波数によりインピーダンス及び／又は位相が変化する終端である。選択部２７０は、通信回線１３０の終端装置として、６００Ωの抵抗終端２７１又は複素終端２７２を選択（切り替える）ためのものである。このような構成により、ＳＯＣ１０１は、複素／抵抗設定部２０７に指示し、通信回線１３０の終端として、６００Ωの抵抗終端２７１又は複素終端２７２を選択可能（切り替え可能）である。なお、通信回線の終端として抵抗終端（又は複素終端）を選択する動作を「特性インピーダンスを抵抗終端（又は複素終端）に切り替える」、又は、「特性インピーダンスに抵抗終端（又は複素終端）を選択する」ともいう。
【００２７】
直流捕捉回路１５２は、トランジスタなどにより構成されるＳＤＡＡ１０４の周辺回路である。直流捕捉回路１５２は、直流捕捉を行いながら、ＳＤＡＡ１０４の制御で直流インピーダンスの調整を行う。直流捕捉回路１５２は、回線開放状態を作り出したり、回線に対する選択信号の一種であるダイヤルパルス送出にも使用される。線２３０は、電流がＰＳＴＮ２１０から流れこむ線である。線２４０は、電流がＰＳＴＮ２１０へと帰還する線である。ＳＤＡＡ１０４は、この線２３０あるいは線２４０の電流値と、線２３０と線２４０間の電圧値を検知可能である。
【００２８】
整流回路１５５は、ダイオードブリッジ等からなり、回線からの信号を整流してＳＤＡＡ１０４側へと伝えるものである。
受信ＩＦ回路１５３は、通信回線１３０を介して受信されるファクシミリの受信信号などを受信するためのインターフェース回路である。
【００２９】
インピーダンス整合／送信回路１５４は、通信中の交流インピーダンス（特性インピーダンス）を合わせるための回路である。例えば、仕向地が日本の場合、インピーダンス整合／送信回路１５４は、交流インピーダンスを６００Ωに合わせる。また、インピーダンス整合／送信回路１５４は、送信信号を回線に送出する働きも持つ。
ノイズ除去回路１５６は、通信回線１３０からの雷サージ、電磁ノイズなどを抑制し、逆に１３０を介して、１００のノイズが送出されることを防ぐ回路である。
【００３０】
ＣＩ検知回路１０８は、通信回線１３０に接続されており、通信回線１３０から受信した呼び出し信号（以下「ＣＩ信号」）を検知する。ＣＩ検知回路１０８は、通信回線からのＣＩ信号を検知すると、そのことを示すＣＩ検知信号１０９をＳＯＣ１０１に対して送信する。ＳＯＣ１０１は、ＣＩ検知信号１０９に基づいて、通信回線からＣＩ信号の着信があったか否かを判断することができる。
絶縁素子２（１０８０）は、ＣＩ検知回路１０８に含有される絶縁素子である。絶縁素子２（１０８０）は、高圧電圧の印加されるＰＳＴＮ２１０側と低圧電圧で駆動されるＳＯＣ側１０１の絶縁を取るためのものである。
【００３１】
Ｈリレー１１０は、外付けの電話機１２８を、疑似ＣＩ回路２５５あるいは通信回線１３０に接続するための回路である。Ｈリレー１１０は、切り替え装置の一例であって、外付けの電話機１２８を通信回線１３０へ接続した接続状態と、通信回線１３０から切断した切断状態との間の切り替えを行う。また、Ｈリレー１１０は、Ｈリレー駆動信号２５１を用いて、ＳＯＣ１０１によって制御される。なお、図１に示すようにＨリレー１１０で電話機１２８がＰＳＴＮ回線１３０から切り離されている場合、ＣＩ着信しても電話機は鳴動しない。いわゆるファクシミリ装置１００の無鳴動着信状態となる。
【００３２】
Ｈリレー１１０において、リレー接点１１０１は、Ｈリレー駆動信号２５１の制御によりリレー接点１１０３と接続されるか、もしくは、切り離されるか、のどちらかの状態となる。リレー接点１１０２は、Ｈリレー駆動信号２５１の制御によりリレー接点１１０３と接続されるか、もしくは、切り離されるか、のどちらかの状態となる。リレー接点１１０３は、外付け電話機１２６と接続される接点である。
リレー接点１１０４は、Ｈリレー駆動信号２５１の制御によりリレー接点１１０６と接続されるか、もしくは、切り離されるか、のどちらかの状態となる。リレー接点１１０５は、Ｈリレー駆動信号２５１の制御により１１０６と接続されるか、もしくは、切り離されるか、のどちらかの状態となる。リレー接点１１０６は、外付け電話機１２６と接続される接点である。
外付けの電話機１２８を、疑似ＣＩ回路２５５に接続する場合、リレー接点１１０１とリレー接点１１０３とが接続され、且つ、リレー接点１１０４とリレー接点１１０６とが接続される状態となる。外付けの電話機１２８を、通信回線１３０に接続する場合、リレー接点１１０２とリレー接点１１０３とが接続され、且つ、リレー接点１１０５とリレー接点１１０６とが接続される状態となる。
【００３３】
疑似ＣＩ回路２５５は、疑似ＣＩ送出回路２５６、直流印可回路２５７、絶縁素子３（２５８）を含有する。
疑似ＣＩ送出回路２５６は、外付け電話機１２８に対して、疑似ＣＩ信号を送出し、鳴動させるための回路である。
直流印可回路２５７は、外付け電話機１２８に対して、直流を印可するための回路である。
絶縁素子３（２５８）は、高電圧の印加されるＰＳＴＮ２１０側と低電圧で駆動されるＳＯＣ１０１側の絶縁を取るためのものである。
【００３４】
フック検知信号２６１は、外付け電話機１２８がオンフックすなわちインピーダンスが高い場合と、オフフックすなわちインピーダンスが低い場合により電圧が変化する信号である。フック検知回路２６２は、外付け電話機１２８のオンフック・オフフックを検知し、フック検知信号２６１を出力する。
【００３５】
音声ＣＯＤＥＣ３００は、音声の符号復号機である。音声ＣＯＤＥＣ３００は、マイク３０４に入力された音声を符号化しモデム１０２に送り電話回線へと送出する。あるいは、音声ＣＯＤＥＣ３００は、モデム１０２で受けた相手電話機からの音声信号を復号してスピーカ３０５から出力する。
【００３６】
音声ＣＯＤＥＣ３００は、ＡＤ変換器３０１、ＤＡ変換器３０２を含む。ＡＤ変換器３０１は、マイク３０４からのアナログ信号をデジタル信号に変換するためのものである。ＤＡ変換器３０２は、モデム１０２からのデジタル信号を、アナログ信号に変換するためのものである。
【００３７】
ハンドセット３０３は、ファクシミリ装置１００のユーザが通話を行うためのものである。ハンドセット３０３において、マイク３０４は、ユーザからの音声を入力し電気信号に変換する音声入力部として機能する。スピーカ３０５は、電気信号を音声に変換し可聴音に変換して出力する音声出力部として機能する。ＭＩＣ ＩＦ回路３０７は、マイク３０４と音声ＣＯＤＥＣ３００とのインターフェースを取るための回路である。ＳＰＥＡＫＥＲ ＩＦ回路３０８は、スピーカ３０５と音声ＣＯＤＥＣ３００とのインターフェースを取るための回路である。
【００３８】
フック検知スイッチ３０６は、ハンドセット３０３がオンフック状態か、オフフック状態かを判断するためのスイッチであり、ファクシミリ装置１００の所定位置に設けられている。フック検知スイッチ３０６は、メカニカルなスイッチ等で構成される。上記ファクシミリ装置１００の所定位置には、図示しないハンドセット３０３を置くための部分があり、その部分にハンドセットが置かれた場合に、フック検知スイッチ３０６を押す仕組みとなっている。なお、オンフック状態とは、ハンドセット３０３がファクシミリ装置１００の所定位置に置かれた状態を示す。オフフック状態は、ハンドセット３０３がファクシミリ装置１００の所定位置から外された状態で通話可能な状態を示す。
【００３９】
上述のように、ファクシミリ装置１００は、音声ＣＯＤＥＣ３００を有し、音声通話可能な装置である。なお、インピーダンスの切り替えは、ファクシミリとして動作する場合も電話機として動作する場合も、複素／抵抗設定部２０７とインピーダンス整合／送信回路１５４を用いて行う。
【００４０】
ファクシミリ装置１００では、ＳＯＣ１０１が、音声ＣＯＤＥＣ３００を使用しないと判断した場合、モデム１０２にＦＡＸモードを指示し、音声ＣＯＤＥＣ３００を使用しないモード（ＦＡＸモード）に移行する。ＦＡＸモード時、ＳＯＣ１０１がモデム１０２、ＳＤＡＡ１０４経由で複素／抵抗設定部２０７に指示し、６００Ωの抵抗終端（２７１）を選択するように制御する。ＦＡＸモード時、ファクシミリ装置１００では、モデム１０２が、ＳＯＣ１０１と画像信号等をやり取りし、ＰＳＴＮ２１０を介して相手ＦＡＸとＦＡＸ通信可能である。
また、ファクシミリ装置１００では、ＳＯＣ１０１が、音声ＣＯＤＥＣ３００を使用すると判断した場合、モデム１０２にＶＯＩＣＥモードを指示し、音声ＣＯＤＥＣ３００を使用するモード（ＶＯＩＣＥモード）に移行する。ＶＯＩＣＥモード時、ＳＯＣ１０１がモデム１０２、ＳＤＡＡ１０４経由で複素／抵抗設定部２０７に指示し、複素終端２７２を選択するように制御する。ＶＯＩＣＥモード時、ファクシミリ装置１００では、モデム１０２が、音声ＣＯＤＥＣ３００と音声信号をやり取りし、ＰＳＴＮ２１０を介して相手電話と通話可能である。
【００４１】
図２は、複素終端２７２の回路構成の一例を示す図である。
図２において、Ｒ１は抵抗１、Ｒ２は抵抗２、Ｃ１（３）は、コンデンサを示す。
ＧＢＴ１５２７９−２００２の場合、Ｃ１（３）は１００ｎＦ、Ｒ１は２００Ω、Ｒ２は６８０Ωと規定されている。ファクシミリ装置１００では、ＶＯＩＣＥモードの時に、これに合わせてインピーダンスを調整する。
【００４２】
図３は、複素終端と６００Ω終端のインピーダンス特性例を表す図である。
図３において、実線は、複素終端２７２のインピーダンス例に対応し、音声周波数帯域３００〜３４００Ｈｚでインピーダンスが変化する様子を示している。複素終端２７２は、３００Ｈｚ側ではインピーダンスは高く、３４００Ｈｚ側ではインピーダンスが低くなるというインピーダンス特性を有する。点線は、６００Ωを示している。６００Ω終端のファクシミリ装置と、複素終端の電話機等の端末で通信あるいは通話を行った場合のリターンロスの変化について図４を用いて説明する。
【００４３】
図４は、６００Ω終端と複素終端で通信を行った場合のリターンロスの一例を示す図である。
図４において、実線は、６００Ω終端と複素終端で通信を行った場合のリターンロスを示す。図４の例では、音声周波数帯域３００〜３４００Ｈｚでリターンロスが変化している様子を示している。３００Ｈｚ側ではリターンロスは小さく、３４００Ｈｚ側ではリターンロスは大きくなっている。点線は、１０ｄＢを示している。
【００４４】
図５、図６は、２線−４線変換回路と反射の様子を説明する図である。
図５は、インピーダンス整合が取れている場合の反射の様子を示す。
図６は、インピーダンス整合が取れていない場合の反射の様子を示す。
【００４５】
図５、図６において、１は、ファクシミリ装置あるいは電話機を示す。２は、相手ファクシミリ装置あるいは電話機を示す。３は、２線回路部分を示す。
４は、ファクシミリ装置あるいは電話機１の４線回路部分である。５は、ファクシミリ装置あるいは電話機１の送信回路である。６は、ファクシミリ装置あるいは電話機１の受信回路である。７は、ファクシミリ装置あるいは電話機１の２線−４線変換回路である。
８は、公衆回線網であるＰＳＴＮである。
９は、相手ファクシミリ装置あるいは電話機２の４線回路部分である。１０は、相手ファクシミリ装置あるいは電話機２の送信回路である。１１は、相手ファクシミリ装置あるいは電話機２の受信回路である。
【００４６】
ファクシミリ装置あるいは電話機は、送信回路とグランドの２線と、受信回路とグランドの２線を合わせた４線回路の信号を、２線である電話回線を介して通信する。この際に用いられるのが２線−４線変換回路である。この２線−４線変換回路は、インピーダンスが整合されていることを前提に設計されている。インピーダンスが整合されている場合の様子を図５に示す。インピーダンスが整合されている場合、２線回路部分の送信信号と受信信号は反射することなく分離される。
一方、インピーダンスが不整合の場合の様子を図６に示す。インピーダンスが不整合の場合、図６に示すように、反射が発生し、送信信号が送信側の受信回路に回り込む。また、反射の影響でエコーが発生し、受信側の受信信号に影響する。その結果、ファクシミリの場合は、通信速度の低下を引き起こす。電話機の場合は、エコーによる音質劣化を引き起こす。
【００４７】
本実施形態のファクシミリ装置では、インピーダンス不整合時のリターンロスへの影響を抑制することにより、図６に示されるような、反射による送信側、受信側への影響が出にくいようにする。
【００４８】
以下、図７〜図９を用いて、本実施形態のファクシミリ装置１００の動作について説明する。音声ＣＯＤＥＣ３００を備えるファクシミリ装置１００では、まず初期動作時に、特性インピーダンスを切り替え可能に設定する（抵抗終端２７１と複素終端２７２の切り替え機能を有効にする）（図７）。その後、電話機として動作するＶＯＩＣＥモード時には複素終端２７２を選択し、また、ファクシミリとして動作するＦＡＸモードの時には抵抗終端２７１を選択するように制御する（図８、図９）。
【００４９】
図７は、本実施形態のファクシミリ装置の初期設定処理の一例を示すフローチャートである。図７及び後述する図８、図９のフローチャートの処理は、ＳＯＣ１０１のＣＰＵ２００が、メモリ１４０に格納された制御プログラムを読み出して実行することにより実現されるものである。
【００５０】
ＳＴＥＰ１において、ＣＰＵ２００は、初期設定を開始すると、ＳＴＥＰ２に処理を進める。
ＳＴＥＰ２において、ＣＰＵ２００は、モデム１０２に指示し、ファクシミリ装置１００をＦＡＸモードに設定し、また、抵抗終端２７１（６００Ω）を選択するように制御する。
【００５１】
次にＳＴＥＰ３において、ＣＰＵ２００は、ファクシミリ装置１００が音声ＣＯＤＥＣ３００を内蔵するモデルか否かを判定する。ファクシミリ装置には、音声ＣＯＤＥＣを内蔵して電話機能を設けたモデルと、音声ＣＯＤＥＣを内蔵しないモデルが存在し、それらを共通基板あるいは共通ソフトウェアで動作させる場合がある。なお、モデルの情報は例えばメモリ１４０に格納され、ＣＰＵ２００はこの情報に基づいて、ファクシミリ装置１００が音声ＣＯＤＥＣ３００を内蔵するモデルか否かを判定する。
【００５２】
上記ＳＴＥＰ３において、ファクシミリ装置１００が音声ＣＯＤＥＣ３００を内蔵するモデルでないと判定した場合（ＳＴＥＰ３でＮＯの場合）、ＣＰＵ２００は、ＳＴＥＰ７に処理を進める。
ＳＴＥＰ７において、ＣＰＵ２００は、ファクシミリ装置がＦＡＸのみのモデルと判断し、初期設定処理を終了する。
【００５３】
一方、上記ＳＴＥＰ３において、ファクシミリ装置１００が音声ＣＯＤＥＣ３００内蔵モデルであると判定した場合（ＳＴＥＰ３でＹＥＳの場合）、ＣＰＵ２００は、ＳＴＥＰ４に処理を進める。
ＳＴＥＰ４において、ＣＰＵ２００は、上記ＦＡＸとＶＯＩＣＥモードの切り替えを可能にし、ＳＴＥＰ５に処理を進める。
【００５４】
ＳＴＥＰ５において、ＣＰＵ２００は、予め設定された仕向地が所定の仕向地であるか否かを判定する。例えば、キー１２０から仕向地を設定するための情報を入力することにより、ＳＯＣ１０１がこの入力を検知して仕向地を設定可能である。仕向地の設定情報は、例えばメモリ１４０に格納され、ＣＰＵ２００はこの情報に基づいて、所定の仕向地であるか否かを判定する。上記所定の仕向地は、電話機とファクシミリ装置とで別々の規格が存在する仕向地であり、例えば「中国」である。本実施例では上記所定の仕向地を「中国」として説明するが、所定の仕向地は「中国」に限定されるものではない。
【００５５】
上記ＳＴＥＰ５において仕向地が所定の仕向地（中国）に設定されていないと判定した場合（ＳＴＥＰ５でＮＯの場合）、ＣＰＵ２００は、ＳＴＥＰ８に処理を進める。
ＳＴＥＰ８において、ＣＰＵ２００は、ＳＤＡＡ１０４に指示し、抵抗終端と複素終端の切り替え機能を無効にし（特性インピーダンスを固定にし）、初期設定処理を終了する。
【００５６】
一方、上記ＳＴＥＰ５において仕向地が所定の仕向地（中国）に設定されていると判定した場合（ＳＴＥＰ５でＹＥＳの場合）、ＣＰＵ２００は、ＳＴＥＰ６に処理を進める。
ＳＴＥＰ６において、ＣＰＵ２００は、ＳＤＡＡ１０４に指示し、抵抗終端と複素終端の切り替え機能を有効にし（特性インピーダンスを切り替え可能にし）、初期設定処理を終了する。この場合、ＣＰＵ２００は、図８に示すＦＡＸモードからＶＯＩＣＥモードへの切り替え判定処理に移行する。
【００５７】
図８は、ＦＡＸモードからＶＯＩＣＥモードへの切り替え判定処理の一例を示すフローチャートであり、ＦＡＸモード時に実行される。
ＳＴＥＰ８において、ＣＰＵ２００は、ＦＡＸモードからＶＯＩＣＥモードへの切り替え判定処理を開始すると、ＳＴＥＰ９に処理を進める。
【００５８】
ＳＴＥＰ９において、ＣＰＵ２００は、ファクシミリ装置１００が待機状態であるかどうかを判定する。ファクシミリ装置１００が待機状態であると判定した場合（ＳＴＥＰ９でＹＥＳの場合）、ＣＰＵ２００は、ＳＴＥＰ１０に処理を進める。
【００５９】
ＳＴＥＰ１０において、ＣＰＵ２００は、ハンドセット３０３が持ち上げられた（オフフック）か否かを判定する。ハンドセット３０３がオフフックでない（オンフック）と判定した場合（ＳＴＥＰ１０でＮＯの場合）、ＣＰＵ２００は、ＳＴＥＰ１１に処理を進める。
ＳＴＥＰ１１において、ＣＰＵ２００は、ファクシミリ装置１００がＦＡＸモードとして動作すると判断し、ＦＡＸモードの設定、及び、ＦＡＸモード用のインピーダンスである６００Ωの抵抗終端２７１の選択を行うように制御する。
【００６０】
一方、上記ＳＴＥＰ１０において、ハンドセット３０３がオフフックであると判定した場合（ＳＴＥＰ１０でＹＥＳの場合）、ＣＰＵ２００は、ＳＴＥＰ１２に処理を進める。
ＳＴＥＰ１２において、ＣＰＵ２００は、ファクシミリ装置１００がＶＯＩＣＥモードとして動作すると判断し、ＶＯＩＣＥモードの設定、及び、ＶＯＩＣＥモード用のインピーダンスである複素終端２７２の選択を行うよう制御する。なお、ＶＯＩＣＥモードに移行すると、図９に示すＶＯＩＣＥモードからＦＡＸモードへの切り替え判定処理が実行される。
【００６１】
また、上記ＳＴＥＰ９において、ファクシミリ装置１００が待機状態でないと判定した場合（ＳＴＥＰ９でＮＯの場合）、ＣＰＵ２００は、ＳＴＥＰ１３に処理を進める。
ＳＴＥＰ１３において、ＣＰＵ２００は、ファクシミリ装置１００がＦＡＸ通信中であるか否かを判定する。ファクシミリ装置１００がＦＡＸ通信中であると判定した場合（ＳＴＥＰ１３でＹＥＳの場合）、ＣＰＵ２００は、ＳＴＥＰ１５に処理を進める。
ＳＴＥＰ１５において、ＣＰＵ２００は、ファクシミリ装置１００がＦＡＸモードとして動作すると判断し、ＦＡＸモードの設定、及び、ＦＡＸモード用のインピーダンスである６００Ωの抵抗終端２７１の選択を行うよう制御する。
【００６２】
一方、上記ＳＴＥＰ１３において、ファクシミリ装置１００がＦＡＸ通信中でないと判定した場合（ＳＴＥＰ１３でＮＯの場合）、ＣＰＵ２００は、ＳＴＥＰ１４に処理を進める。
ＳＴＥＰ１４において、ＣＰＵ２００は、ＣＩ信号がＰＳＴＮ側から送られてきた（ＣＩ着信）かどうかを判定する。ＣＩ信号がＰＳＴＮ側から送られてきたと判定した場合（ＳＴＥＰ１４でＹＥＳの場合）、ＣＰＵ２００は、ＳＴＥＰ１０に処理を移行する。
【００６３】
一方、上記ＳＴＥＰ１４において、ＣＩ信号がＰＳＴＮ側から送られてきていないと判定した場合（ＳＴＥＰ１４でＮＯの場合）、ＣＰＵ２００は、ＳＴＥＰ１６に処理を進める。
ＳＴＥＰ１６において、ＣＰＵ２００は、疑似ＣＩ回路２５５が疑似ＣＩ信号を外付け電話機１２８に対して送出しているか否かを判定する。疑似ＣＩ信号を外付け電話機１２８に対して送出していると判定した場合（ＳＴＥＰ１６でＹＥＳの場合）、ＣＰＵ２００は、ＳＴＥＰ１０に処理を移行する。
【００６４】
一方、上記ＳＴＥＰ１６において、疑似ＣＩ信号を外付け電話機１２８に対して送出していないと判定した場合（ＳＴＥＰ１６でＮＯの場合）、ＣＰＵ２００は、ＳＴＥＰ１７に処理を進める。
ＳＴＥＰ１７において、ＣＰＵ２００は、スピーカ回路２５０から疑似ベル音を送出しているか否かを判定する。疑似ベル音を送出していると判定した場合（ＳＴＥＰ１７でＹＥＳの場合）、ＣＰＵ２００は、ＳＴＥＰ１０に処理を移行する。
【００６５】
一方、上記ＳＴＥＰ１７において、疑似ベル音を送出していないと判定した場合（ＳＴＥＰ１７でＮＯの場合）、ＣＰＵ２００は、ＳＴＥＰ１８に処理を進める。
ＳＴＥＰ１８において、ＣＰＵ２００は、ファクシミリ装置１００から発呼した後に相手ファクシミリ装置あるいは電話機がオフフック状態になったかどうかを判定する。ファクシミリ装置１００から発呼した後に相手ファクシミリ装置あるいは電話機がオフフック状態になっていないと判定した場合（ＳＴＥＰ１８でＮＯの場合）、ＣＰＵ２００は、ＳＴＥＰ９に処理を移行する。
【００６６】
一方、上記ＳＴＥＰ１８において、ファクシミリ装置１００から発呼した後に相手ファクシミリ装置あるいは電話機がオフフック状態になったと判定した場合（ＳＴＥＰ１８でＹＥＳの場合）、ＣＰＵ２００は、ＳＴＥＰ１９に処理を進める。
ＳＴＥＰ１９において、ＣＰＵ２００は、相手ファクシミリがファクシミリ信号（ＣＮＧ信号あるいはＤＩＳ信号等）を送出しているか否かを判定する。相手ファクシミリがファクシミリ信号を送出していないと判定した場合（ＳＴＥＰ１９でＮＯの場合）、ＣＰＵ２００は、ＳＴＥＰ９に処理を移行する。
【００６７】
一方、上記ＳＴＥＰ１９において、相手ファクシミリがファクシミリ信号を送出していると判定した場合（ＳＴＥＰ１９でＹＥＳの場合）、ＣＰＵ２００は、ＳＴＥＰ２０に処理を進める。
ＳＴＥＰ２０において、ＣＰＵ２００は、ファクシミリ装置１００がＦＡＸモードとして動作すると判断し、ＦＡＸモードの設定、及び、ＦＡＸモード用のインピーダンスである６００Ωの抵抗終端２７１の選択を行うよう制御する。
【００６８】
図９は、ＶＯＩＣＥモードからＦＡＸモードへの切り替え判定処理の一例を示すフローチャートであり、ＶＯＩＣＥモード時に実行される。
ＳＴＥＰ２１において、ＣＰＵ２００は、ＶＯＩＣＥモードからＦＡＸモードへの切り替え判定処理を開始すると、ＳＴＥＰ２２に処理を進める。
【００６９】
ＳＴＥＰ２２において、ＣＰＵ２００は、ハンドセット３０３がオンフック状態に移行したか、すなわちハンドセット３０３が持ち上げられていたハンドセットが戻されたかどうかを判定する。ハンドセット３０３がオンフック状態に移行したと判定した場合（ＳＴＥＰ２２でＹＥＳの場合）、ＣＰＵ２００は、ＳＴＥＰ２８に処理を進める。
ＳＴＥＰ２８において、ＣＰＵ２００は、ファクシミリ装置１００がＦＡＸモードとして動作すると判断し、ＦＡＸモードの設定、及び、ＦＡＸモード用のインピーダンスである６００Ωの抵抗終端２７１の選択を行うよう制御する。なお、ＦＡＸモードに移行すると、図８に示したＦＡＸモードからＶＯＩＣＥモードへの切り替え判定処理が実行される。
【００７０】
一方、上記ＳＴＥＰ２２において、ハンドセット３０３がオンフック状態に移行していないと判定した場合（ＳＴＥＰ２２でＮＯの場合）、ＣＰＵ２００は、ＳＴＥＰ２３に処理を進める。
ＳＴＥＰ２３において、ＣＰＵ２００は、操作パネル１１８からの送信指示が有るかどうかを判定する。送信指示が有ると判定した場合（ＳＴＥＰ２３でＹＥＳの場合）、ＣＰＵ２００は、ＳＴＥＰ２８に処理を進める。すなわち、ＣＰＵ２００は、ＦＡＸモードの設定、及び、ＦＡＸモード用のインピーダンスである６００Ωの抵抗終端２７１の選択を行うよう制御する。
【００７１】
一方、上記ＳＴＥＰ２３において、送信指示が無いと判定した場合（ＳＴＥＰ２３でＮＯの場合）、ＣＰＵ２００は、ＳＴＥＰ２４に処理を進める。
ＳＴＥＰ２４において、ＣＰＵ２００は、操作パネル１１８からの受信指示が有るかどうかを判定する。受信指示が有ると判定した場合（ＳＴＥＰ２４でＹＥＳの場合）、ＣＰＵ２００は、ＳＴＥＰ２８に処理を進める。すなわち、ＣＰＵ２００は、ＦＡＸモードの設定、及び、ＦＡＸモード用のインピーダンスである６００Ωの抵抗終端２７１の選択を行うよう制御する。
【００７２】
一方、上記ＳＴＥＰ２４において、受信指示が無いと判定した場合（ＳＴＥＰ２４でＮＯの場合）、ＣＰＵ２００は、ＳＴＥＰ２５に処理を進める。
ＳＴＥＰ２５において、ＣＰＵ２００は、送信開始（オートリダイヤル等での送信開始を含む）されたかどうかを判定する。送信開始されたと判定した場合（ＳＴＥＰ２５でＹＥＳの場合）、ＣＰＵ２００は、ＳＴＥＰ２８に処理を進める。すなわち、ＣＰＵ２００は、ＦＡＸモードの設定、及び、ＦＡＸモード用のインピーダンスである６００Ωの抵抗終端２７１の選択を行うよう制御する。
【００７３】
一方、上記ＳＴＥＰ２５において、送信開始されていないと判定した場合（ＳＴＥＰ２５でＮ０の場合）、ＣＰＵ２００は、ＳＴＥＰ２６に処理を進める。
ＳＴＥＰ２６において、ＣＰＵ２００は、受信開始（自動受信を含む）されたかどうかを判定する。受信開始されたと判定した場合（ＳＴＥＰ２６でＹＥＳの場合）、ＣＰＵ２００は、ＳＴＥＰ２８に処理を進める。すなわち、ＣＰＵ２００は、ＦＡＸモードの設定、及び、ＦＡＸモード用のインピーダンスである６００Ωの抵抗終端２７１の選択を行うよう制御する。
【００７４】
一方、上記ＳＴＥＰ２６において、受信開始されていないと判定した場合（ＳＴＥＰ２６でＮＯの場合）、ＣＰＵ２００は、ＳＴＥＰ２７に処理を進める。
ＳＴＥＰ２７において、ＣＰＵ２００は、ファクシミリ装置１００がＶＯＩＣＥモードとして動作すると判断し、ＶＯＩＣＥモードの設定、及び、ＶＯＩＣＥモード用のインピーダンスである複素終端２７２の選択を行うよう制御する。
【００７５】
以上のように、ファクシミリ装置１００では、ハンドセット３０３の着脱を検知し、自動的に特性インピーダンスの抵抗終端／複素終端の切り替えを行う（ＳＴＥＰ１０〜１２）。すなわち、ハンドセット３０３がファクシミリ装置１００から離脱した時（ハンドセットオフフック時）、通信回線１３０の終端を、周波数によりインピーダンス／位相が変化する複素終端２７２に切り替える（ＳＴＥＰ１２）。また、ハンドセット３０３が置かれた時（ハンドセットオンフック時）、通信回線１３０の終端を、周波数によりインピーダンス／位相が変化しない抵抗終端２７１に切り替える（ＳＴＥＰ１１）。ハンドセット３０３のオフフックあるいはオンフック検知は、フック検知スイッチ３０６で行われる。ハンドセット３０３が図示しないハンドセット置台から外されたか置かれたか（ハンドセットオフフック・ハンドセットオンフック）を、フック検知スイッチ３０６で検知し、ＳＯＣ１０１でそれを認識する。なお、ここでいうハンドセットのオフフックは、直流捕捉回路１５２による回線捕捉、すなわち電話回線をオフフック状態にすることとは異なる。ハンドセット３０３がハンドセット置台から外された場合は、ＣＰＵ２００は、モデム１０２を介してＳＤＡＡ１０４の複素／抵抗設定部２０７に対して、複素終端２７２を選択するように指示する。その後、直流捕捉回路１５２による回線捕捉すなわち電話回線をオフフック状態に移行させることが可能となる。
【００７６】
また、ファクシミリ装置１００は、相手がファクシミリ装置である場合、ＦＡＸモードとして動作し、それに同期して、通信回線１３０の終端に抵抗終端を選択する（ＳＴＥＰ１３〜２０）。相手がファクシミリ装置である場合、ＩＴＵ−Ｔ勧告Ｔ．３０に示されるＣＮＧ信号あるいはＤＩＳ信号などのファクシミリ信号を送出してくるため、それをモデム１０２で検知する。その情報に基づきＳＯＣ１０１で、相手がファクシミリ装置であることを容易に認識できる。よって、相手ファクシミリ装置からＣＮＧ信号あるいはＤＩＳ信号を含む、いずれかのファクシミリ特有の信号を検知した場合、ファクシミリ装置１００は、相手機がファクシミリ装置であることを自動的に検知する。これに応じて、ファクシミリ装置１００は、通信回線１３０の終端を、周波数によりインピーダンス／位相が変化しない抵抗終端２７１に切り替える（ＳＴＥＰ２０）。
【００７７】
また、ファクシミリ装置１００では、ユーザインターフェース（ＵＩ）からの送信／受信指示を検知した時に、特性インピーダンスを周波数によりインピーダンス／位相が変化しない抵抗終端に切り替える（ＳＴＥＰ２３、２４、２８）。
また、ファクシミリ装置１００では、例えば、オートリダイヤル等で送信開始した時、あるいは、自動受信等で受信開始した時に、該特性インピーダンスを周波数によりインピーダンス／位相が変化しない抵抗終端に切り替える（ＳＴＥＰ２５、２６、２８）。
また、ハンドセットがオンフック状態になったときに、該特性インピーダンスを周波数によりインピーダンス／位相が変化しない抵抗終端に切り替える（ＳＴＥＰ２２、２８）。
【００７８】
このように、ファクシミリの回路を利用して通話を実現する電話機内蔵ファクシミリ装置において、電話機として動作するＶＯＩＣＥモードかファクシミリとして動作するＦＡＸモードかを判断し、特性インピーダンスを複素終端あるいは抵抗終端にする。これにより、音声ＣＯＤＥＣを有するファクシミリ装置にて、ユーザに意識させることなく、特別なハードウェアを必要とせず、簡単な構成での低コストで利便性の高い、インピーダンス整合を実現することができる。これにより、通話品質の確保と、ファクシミリの通信速度の低下の防止の双方を実現することができる。
すなわち、電話機とファクシミリ装置とで別々の規格が存在する環境で双方の企画に適合でき、簡単な動作で耳障りな周波数スイープ音等の送出を行うことなく、低コストで、通話時の音声品質の劣化やファクシミリの通信速度の低下を防止することができる。
【００７９】
なお、上述した各種データの構成及びその内容はこれに限定されるものではなく、用途や目的に応じて、様々な構成や内容で構成されていてもよい。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施形態を組み合わせた構成も全て本発明に含まれるものである。
【００８０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上記実施形態に限定されるものではなく、本発明の趣旨に基づき種々の変形（各実施形態の有機的な組合せを含む）が可能であり、それらを本発明の範囲から除外するものではない。即ち、上述した各実施形態及びその変形例を組み合わせた構成も全て本発明に含まれるものである。
【符号の説明】
【００８１】
１００    ファクシミリ装置
１０１    ＳＯＣ
２００    ＣＰＵ
１０２    モデム
１０４    ＳＤＡＡ
２０７    複素／抵抗設定部
２７１    ６００Ωの抵抗終端
２７２    複素終端
１５４    インピーダンス整合／送信回路
３００    音声ＣＯＤＥＣ
３０３    ハンドセット
３０６    フック検知スイッチ
【図１】
2020068428.tif 000003
【図２】
2020068428.tif 000004
【図３】
2020068428.tif 000005
【図４】
2020068428.tif 000006
【図５】
2020068428.tif 000007
【図６】
2020068428.tif 000008
【図７】
2020068428.tif 000009
【図８】
2020068428.tif 000010
【図９】
2020068428.tif 000011
【図１０】
2020068428.tif 000012